(57)【要約】撮像装置１０は、複数のレンズ２１が、その間を充填する透明樹脂２２により相対位置が固定されている光学ユニット５０と、前記光学ユニット５０から入射される光を受光する受光部６１が主面６０ＳＡに形成されており、前記光学ユニット５０が前記主面６０ＳＡに接着剤２５を介して接着されている、撮像基板６０と、を具備する。
2016117120.tif 000002
【特許請求の範囲】
【請求項１】
複数の光学部材が、その間を充填する透明樹脂により相対位置が固定されている光学系と、
前記光学系から入射される光を受光する受光部が主面に形成されており、前記光学系が前記主面に接着剤を介して接着されている、撮像基板と、を具備することを特徴とする撮像装置。
【請求項２】
前記光学系が、複数のレンズを含む対物光学系を有し、
前記レンズの直径が、１ｍｍ以下であることを特徴とする請求項１に記載の撮像装置。
【請求項３】
前記レンズの屈折率が、紫外線硬化型の前記透明樹脂の屈折率の１．２倍以上であることを特徴とする請求項２に記載の撮像装置。
【請求項４】
前記複数のレンズの相対位置が、枠体に替えて、前記透明樹脂により固定されていることを特徴とする請求項３に記載の撮像装置。
【請求項５】
前記複数のレンズの間隔が、スペーサにより規定されていることを特徴とする請求項４に記載の撮像装置。
【請求項６】
前記光学系が、前記対物光学系からの入射光を反射して前記受光部へ出射するプリズムを有し、
前記対物光学系の光軸が前記撮像基板の前記主面に対して平行であることを特徴とする請求項２から請求項５のいずれか１項に記載の撮像装置。
【請求項７】
硬化前の前記接着剤が親水性であり、
前記対物光学系は、外周面の前記撮像基板と接着されている領域が親水性で、前記外周面の前記接着されている領域が疎水性であることを特徴とする請求項６に記載の撮像装置。
【請求項８】
前記対物光学系と前記プリズムとの間を充填している、前記透明樹脂が紫外線硬化型で硬化前は親水性であり、
前記プリズムは、前記透明樹脂と接する面の光学的有効領域の周囲が親水性であることを特徴とする請求項６または請求項７に記載の撮像装置。
【請求項９】
前記撮像基板の前記対物光学系が接着される領域に、前記対物光学系の光軸に対して左右対称な凹部が形成されていることを特徴とする請求項６から請求項８のいずれか１項に記載の撮像装置。
【請求項１０】
前記光学系が、前記受光部を覆うように接着されているカバーガラスを有し、
前記対物光学系の光軸が前記撮像基板の前記主面に対して垂直であることを特徴とする請求項２から請求項５のいずれか１項に記載の撮像装置。
【請求項１１】
請求項１から請求項１０のいずれか１項に記載の撮像装置を挿入部の先端部に備えることを特徴とする内視鏡。
【発明の詳細な説明】
【技術分野】
【０００１】
本発明は、複数の光学部材を有する光学系と、主面に受光部が形成されており、前記主面に前記光学系が配設されている撮像基板と、を具備する撮像装置、および、前記撮像装置を具備する内視鏡に関する。
【背景技術】
【０００２】
ＣＣＤ等の固体撮像素子を有する撮像装置を、挿入部の先端部に具備した電子内視鏡が普及している。医療用の内視鏡は、先端部に撮像装置が内蔵された可撓性を有する細長の挿入部を患者等の被検体の体腔内に挿入することによって、被検部位の観察等を行う。【０００３】
内視鏡等に用いられる撮像装置は、金属製の枠部材によって、対物光学系を構成する複数のレンズの外周部を保持し、光軸およびレンズ間距離を規定している。内視鏡は、低侵襲化のため、挿入部の細径化が求められている。【０００４】
日本国特開２０００−２７１０６６号公報および日本国特開２００２−４５３３３号公報には、挿入部の細径化のために、枠部材に光路方向に間隔を設け、この間隔部分の外周面をカットした後、固体撮像素子の上面側に近接配置することにより、高さ寸法を低減した撮像装置が開示されている。【０００５】
しかし、金属加工の限界により金属製の枠部材の肉厚を、所定値以下とすることは容易ではない。このため、小径レンズの対物光学系では、レンズの外径に比べ、枠部材の肉厚が相対的に大きくなり、小型化には限界があった。枠部材の材質として樹脂を用いた場合にも、例えば、射出成形技術の限界等により、肉厚が制限されるため、小型化には限界があった。【０００６】
特に、気管支鏡および経鼻挿入式内視鏡では、挿入部の外径が数ｍｍと極めて細い。このため、更なる細径化は容易ではなかった。【０００７】
なお、日本国特開２００７−４１３９８号公報には、複数のレンズの間に弾性体を充填し仮保持した状態で、枠部材に挿入し固定する構成が開示されている。
【先行技術文献】
【特許文献】
【０００８】
【特許文献１】特開２０００−２７１０６６号公報
【特許文献２】特開２００２−４５３３３号公報
【特許文献３】特開２００７−４１３９８号公報
【発明の概要】
【発明が解決しようとする課題】
【０００９】
本発明は、細径の撮像装置、および細径の内視鏡を提供することを目的とする。
【課題を解決するための手段】
【００１０】
本発明の実施形態の撮像装置は、複数の光学部材が、その間を充填する透明樹脂により相対位置が固定されている光学系と、前記光学系から入射される光を受光する受光部が主面に形成されており、前記光学系が前記主面に接着剤を介して接着されている撮像基板と、を具備する。【００１１】
また、別の実施形態の内視鏡は、複数の光学部材が、その間を充填する透明樹脂により相対位置が固定されている光学系と、前記光学系から入射される光を受光する受光部が主面に形成されており、前記光学系が前記主面に接着剤を介して接着されている撮像基板とを具備する撮像装置を、挿入部の先端部に備える。
【発明の効果】
【００１２】
本発明によれば、細径の撮像装置、および細径の内視鏡を提供できる。
【図面の簡単な説明】
【００１３】
【図１】実施形態の内視鏡を含む内視鏡システムの外観図である。
【図２Ａ】実施形態の内視鏡の挿入部先端部の断面図である。
【図２Ｂ】実施形態の内視鏡の挿入部の先端部方向から観察したときの透過模式図である。
【図３】第１実施形態の撮像装置の斜視図である。
【図４】第１実施形態の撮像装置の、図３のＩＶ−ＩＶ線に沿った断面図である。
【図５】第１実施形態の撮像装置の製造方法を説明するための断面図である。
【図６】第１実施形態の撮像装置の製造方法を説明するための断面図である。
【図７】第１実施形態の変形例１の撮像装置を説明するための断面図である。
【図８】第１実施形態の変形例２の撮像装置を説明するための断面図である。
【図９】第１実施形態の変形例３の撮像装置を説明するための斜視分解図である。
【図１０】第２実施形態の撮像装置の断面図である。
【発明を実施するための形態】
【００１４】
＜第１実施形態＞
最初に図１を用いて、本発明の第１実施形態の撮像装置１０を有する内視鏡２、それを含む内視鏡システム１について説明する。
【００１５】
なお、図面は、模式的なものであり、各部分の厚みと幅との関係、夫々の部分の厚みの比率などは現実のものとは異なることに留意すべきであり、図面の相互間においても互いの寸法の関係や比率が異なる部分が含まれている場合がある。
【００１６】
図１に示すように、内視鏡システム１は、内視鏡２と、プロセッサ５Ａと、光源装置５Ｂと、モニタ５Ｃと、を具備する。内視鏡２は、挿入部３を被検体の体腔内に挿入することによって、被検体の体内画像を撮像し撮像信号を出力する。
【００１７】
内視鏡２の挿入部３の基端側には、内視鏡２を操作する各種ボタン類が設けられた操作部４が配設されている。操作部４には、被検体の体腔内に生体鉗子、電気メスおよび検査プローブ等の処置具を挿入するチャンネル３Ｈの処置具挿入口４Ａがある。
【００１８】
挿入部３は、撮像装置１０が配設されている先端部３Ａと、先端部３Ａの基端側に連設された湾曲自在な湾曲部３Ｂと、この湾曲部３Ｂの基端側に連設された可撓管部３Ｃとによって構成される。湾曲部３Ｂは、操作部４の操作によって湾曲する。
【００１９】
操作部４の基端部側に配設されたユニバーサルコード４Ｂには、先端部３Ａの撮像装置１０と接続された信号ケーブル７５が挿通している。
【００２０】
ユニバーサルコード４Ｂは、コネクタ４Ｃを介してプロセッサ５Ａおよび光源装置５Ｂに接続される。プロセッサ５Ａは内視鏡システム１の全体を制御するとともに、撮像装置１０が出力する撮像信号に信号処理を行い画像信号として出力する。モニタ５Ｃは、プロセッサ５Ａが出力する画像信号を表示する。
【００２１】
光源装置９は、例えば、白色ＬＥＤを有する。光源装置９が出射する白色光は、ユニバーサルコード４Ｂを挿通するライトガイド（不図示）を介して先端部３Ａの照明光学系３Ｄ（図２Ｂ参照）に導光され、被写体を照明する。
【００２２】
次に、図２Ａおよび図２Ｂを用いて、内視鏡２の先端部３Ａの構成について説明する。
先端部３Ａには、撮像装置１０および処置具チャンネル３Ｈが配設されている。照明光を出射する照明光学系３Ｄも先端部３Ａに配設されている。
【００２３】
撮像装置１０は、対物光学系（以下「レンズユニット」ともいう）２０およびプリズム３０を含む光学系である光学ユニット５０と、撮像基板６０と、を含む。撮像装置１０は封止樹脂７２により後端部が封止されている。
【００２４】
光学ユニット５０が表面実装された撮像基板６０は、配線板７０を介して、信号ケーブル７５と接続されている。なお、先端部３Ａの基端外周部は、図示しない柔軟な被覆管によって被覆されている。
【００２５】
内視鏡２は被覆管の厚さを含めた先端部３Ａの直径ｄが、３ｍｍ以下の、例えば経鼻挿入式内視鏡である。このため、撮像装置１０の対物光学系２０（図４参照）は、直径Ｄが１ｍｍ以下と極細径で、撮像装置１０の光軸直交方向の外寸も、例えば直径Ｄの１．５倍と超小型である。なお、実施形態の内視鏡としては、処置具チャンネル３Ｈが配設されていない、より細径の観察専用であってもよい。
【００２６】
＜撮像装置の構成＞
次に、本実施形態の撮像装置１０の構成について詳細に説明する。
【００２７】
図３および図４に示すように、撮像装置１０は、対物光学系２０の光軸０が撮像基板６０の主面６０ＳＡに対して平行な、いわゆる「横置き型」である。
【００２８】
光学ユニット５０は、光学部材である、複数のレンズ２１Ａ〜２１Ｄおよびプリズム３０が、その間を充填する透明樹脂２２、４０により相対位置が固定されている。なお、以下、複数のレンズ２１Ａ〜２１Ｄの、それぞれをレンズ２１という。レンズ２１の数は、例えば、２以上１０以下である。
【００２９】
主面６０ＳＡに受光部６１が形成された撮像基板６０は、シリコン等の半導体からなる。受光部６１は、ＣＭＯＳ（Complementary Metal Oxide Semiconductor）型の半導体回路、またはＣＣＤ（Ｃｈａｒｇｅ  Ｃｏｕｐｌｅｄ  Ｄｅｖｉｃｅ）である。撮像基板６０の端部には、受光部６１と電気的に接続された複数の電極パッド６２が配設されている。電子部品７１が実装された配線板７０は、電極パッド６２と接合されている。配線板７０の複数の接続電極７３は信号ケーブル７５と接合されている。
【００３０】
撮像装置１０のレンズユニット２０は、紫外線硬化型樹脂からなる接着層２５を介して、撮像基板６０の主面６０ＳＡに、直接、接着されている。すなわち、撮像装置１０はレンズ２１の外周部を支持する部材である枠体等を具備しない。
【００３１】
また、プリズム３０も、紫外線硬化型樹脂からなる接着層２６を介して撮像基板６０の主面６０ＳＡに接着されている。レンズユニット２０とプリズム３０との間にも、紫外線硬化型の透明樹脂４０が充填されている。
【００３２】
光学ユニット５０に入射した光は、レンズユニット２０によって集光され、プリズム３０に入射する。プリズム３０はレンズユニット２０からの入射光を反射して受光部６１へ出射する。受光部６１は、プリズム３０が出射した光を受光し、受光した光を撮像信号に変換する。撮像装置１０が出力する撮像信号は、配線板７０および信号ケーブル７５を経由して、プロセッサ５Ａに伝送される。
【００３３】
ここで、大きく重いレンズは枠体により固定しないと安定に保持することはできない。しかし、撮像装置１０では、レンズ２１が極めて小径で極めて軽いため透明樹脂２２により安定に保持できる。なお、安定に保持するために、レンズ２１の直径Ｄは、１ｍｍ以下であることが好ましく、０．５ｍｍ以下であることが、より好ましい。直径Ｄの下限は加工精度の限界から、例えば、０．１ｍｍ以上であることが好ましい。
【００３４】
レンズ２１の屈折率ｎ１は、透明樹脂２２、４０の屈折率ｎ２の１．２倍以上であることが好ましい。なお、屈折率ｎ１は、屈折率ｎ２の１．５倍以上２倍以下であることが、より好ましい。前記範囲内であれば、光学設計が容易である。また、材料選択の容易性から屈折率ｎ２は１．０５以上であることが好ましい。例えば、屈折率ｎ１が２．０の場合、屈折率ｎ２は、１．０５以上であることが、より好ましい。屈折率ｎ１および屈折率ｎ２に応じて、レンズ曲率およびレンズ間距離等の光学設計が行われる。さらに、透明樹脂２２、４０は、可視光帯における光透過率が９０％以上であることが好ましい。
【００３５】
なお、図４に示すように、撮像装置１０のレンズユニット２０では、光束の太さを規定する絞り２３を有し、スペーサ２４により、レンズ間距離が規定されている。絞り２３がレンズ間距離を規定していてもよいし、レンズ同士が直接、接着されていてもよい。
【００３６】
複数のレンズ２１が枠体に替えて、透明樹脂２２により固定されているレンズユニット２０を有する撮像装置１０は、細径である。さらに、撮像装置１０は、複数のレンズ２１の間には、透明樹脂２２が充填されているため、封止樹脂７２を硬化処理する際に発生するガス、および異物等が侵入することがない。また、複数のレンズ２１の間は、水密を確保されているため、湿気の浸入や温度変化により曇りを生じることがない。さらに、異物等の侵入を防止するための専用の遮蔽部材も不要であるため、細径である。
【００３７】
＜撮像装置の製造方法＞
次に、撮像装置１０の製造方法について簡単に説明する。
【００３８】
撮像基板６０が公知の半導体技術を用いて作製される。また、レンズ２１、プリズム３０、絞り２３およびスペーサ２４が仕様に従って作製される。レンズ２１およびプリズム３０は、ガラスまたは透明樹脂からなる。絞り２３およびスペーサ２４は、金属または樹脂からなる。
【００３９】
最初に、レンズ２１に、絞り２３またはスペーサ２４が配設される。例えば、スペーサ２４の上に、治具により保持されたレンズ２１を移動させ、位置合わせをした後、接着剤により両者を接着する。ここで用いる接着剤は、透明樹脂２２と同じ樹脂でもよいし、透明ではない樹脂でもよいが、紫外線硬化型であることが好ましい。
【００４０】
また、レンズ２１の表面に所定膜厚の金属膜を成膜した後、光路部の金属膜をエッチング等により除去して、絞り２３またはスペーサ２４が一体化されたレンズ２１を作製してもよい。
【００４１】
次に、レンズユニット２０が作製される。接着面に未硬化の透明樹脂２２を塗布したレンズ２１Ａ〜２１Ｄを、一体化用の専用の治具に固定し光軸方向に押圧しながら紫外線が照射される。レンズ間距離は、スペーサ２４により、正確に規定される。
【００４２】
また、予めレンズ２１にスペーサ２４等を接着しないで、レンズ２１とスペーサ２４等とを治具に固定して同時に一体化してもよい。レンズ２１等を治具に固定した後に透明樹脂２２を充填してもよい。
【００４３】
また、レンズ間距離を規定するために、スペーサ２４ではなく、複数のレンズ２１の間に充填する透明樹脂２２の量を制御したり、保持されるレンズ間の間隔精度の高い治具を用いたりしてもよい。非常に小さいレンズユニット２０では、レンズ間距離が非常に狭く、スペーサ２４もそれに応じて薄い。このため、スペーサ２４の加工寸法および加工精度への要求は高く、加工が極めて困難である。スペーサ２４を用いずに透明樹脂２２によりレンズ間距離を規定することにより、スペーサ２４の加工の問題を解消できる。
【００４４】
そして、図５に示すように、未硬化の接着剤２５Ｌが塗布されたレンズユニット２０が吸着ツール８で保持され、所定位置に位置合わせされて、紫外線が照射されると接着層２５を介して撮像基板６０に接着される。接着剤２５Ｌは、位置合わせ後に塗布されてもよい。また、接着剤２５Ｌを撮像基板６０の所定位置に塗布し、その上にレンズユニット２０を搭載してもよい。
【００４５】
一方、図示しないが、吸着ツールで保持されたプリズム３０が、紫外線硬化型の透明樹脂からなる接着剤が塗布された受光部６１に位置合わせされる。そして、紫外線が照射されると、接着剤が硬化するため、プリズム３０は接着層２６を介して撮像基板６０に接着される。
【００４６】
そして、図６に示すように、レンズユニット２０とプリズム３０との間に未硬化の透明樹脂４０Ｌがディスペンスノズル等を用いて充填され、紫外線が照射される。なお、後述するように、配線板７０が撮像基板６０に予め接合されている場合には、透明樹脂４０を充填する際に、同時に、撮像基板６０と配線板７０との接合部を透明樹脂４０によって封止してもよい。この場合には、封止工程を別途設けることなく、低コストに撮像装置１０の信頼性を高めることができる。
【００４７】
なお、透明樹脂２２と透明樹脂４０と接着層２６と接着層２５とは、同じ樹脂でもよいし、接着層２５と透明樹脂４０とは同時に塗布される同一の樹脂でもよい。なお、硬化収縮により位置あわせした位置からずれることを防ぐため、硬化収縮率の小さい樹脂／接着剤を用いることが好ましい。また、位置決めした状態で樹脂を即座に硬化させるために、すでに説明したように、紫外線硬化型の樹脂／接着剤を用いることが好ましい。
【００４８】
レンズユニット２０およびプリズム、の外面を、黒色インク等により塗装しておくことで、迷光が受光部６１に入りこむことを防止できる。なお、光路となる透明樹脂４０等は未硬化の状態で真空脱泡処理を行い、気泡が混入することを防止することが好ましい。
【００４９】
ここで、レンズユニット２０を撮像基板６０に接着する前、または、透明樹脂４０Ｌの充填前に、撮像基板６０に配線板７０を接合しておいて、受光部６１の出力する撮像信号をモニタ５Ｃに表示したり、撮像信号を評価装置等で確認したりしてもよい。
【００５０】
例えば、レンズユニット２０を撮像基板６０に接着する前に、撮像信号を確認しながらレンズユニット２０の位置を調整して能動的にアライメントする、いわゆるアクティブアライメントを行うことでより高精度に位置あわせできる。アクティブアライメントを行う場合は、吸着ツール８を用いてレンズユニット２０を所定位置に配置した状態で、レンズユニット２０の下面およびレンズユニット２０とプリズム３０との間に透明樹脂４０Ｌを充填してから、位置が調整される。位置調整後に紫外線照射により透明樹脂４０Ｌの硬化を行うことで、レンズユニット２０の接着も同時に行われる。
【００５１】
また、レンズユニット２０を撮像基板６０に接着後、透明樹脂４０Ｌの充填前に、撮像装置１０の解像度等の評価を行い、評価結果に応じて所望の解像度を得るために、充填する透明樹脂４０Ｌを、屈折率の異なる複数の樹脂の中から選定してもよい。これにより、対物光学系の位置や対物光学系の組立ばらつきがあった場合でも、所望の解像度を得ることが可能となる。
【００５２】
＜第１実施形態の変形例＞
次に、第１実施形態の変形例１〜３の撮像装置１０Ａ〜１０Ｃについて説明する。変形例の撮像装置１０Ａ〜１０Ｃは、第１実施形態の撮像装置１０と構成が類似し、撮像装置１０と同じ効果を有しているので同じ機能の構成要素には同じ符号を付し説明は省略する。
【００５３】
＜変形例１＞
変形例１の撮像装置１０Ａは、硬化前の紫外線硬化型の接着剤２５Ｌが親水性である。そして、図７に示すように、レンズユニット２０は、外周面の撮像基板６０と接着される領域２０Ｓ１が親水性であり、外周面の領域２０Ｓ１を除く領域２０Ｓ２が疎水性である。親水性表面は、紫外線照射、プラズマ照射、親水性ポリマーのコーティング、または、ブラスト加工等により形成される。疎水性表面は、疎水性ポリマーのコーティング等により形成される。
【００５４】
撮像装置１０Ａでは、レンズユニット２０の外周部への接着剤２５Ｌの「はい上がり」を防止できるため、外形が大きくなることがなく、細径化が容易である。
【００５５】
＜変形例２＞
変形例２の撮像装置１０Ｂでは、レンズユニット２０とプリズム３０との間を充填している、透明樹脂４０が硬化前（４０Ｌ）は親水性である。そして、図８に示すように、プリズム３０は透明樹脂４０と接する面の光学的有効領域３０Ｓ１の周囲の領域３０Ｓ２が親水性である。
【００５６】
親水性の領域３０Ｓ２は、紫外線照射、プラズマ照射、親水性ポリマーのコーティング、または、ブラスト加工等の親水化処理により形成される。たとえば、有効領域３０Ｓ１をマスクして、周囲の領域３０Ｓ２にだけ親水化処理を施す。有効領域３０Ｓ１は処理されていないため、親水化処理が撮像特性等に悪影響を与えることはない。
【００５７】
撮像装置１０Ｂは、未硬化の透明樹脂４０Ｌがプリズム３０の外周の領域３０Ｓ２に濡れ広がりやすい。このため、透明樹脂４０Ｌの広がり不足によりプリズム３０の表面に空気が残り、透明樹脂４０と空気との界面が生じることで、画像に写りこむことを防止することができる。
【００５８】
＜変形例３＞
図９に示すように、変形例３の撮像装置１０Ｃでは、撮像基板６０のレンズユニット２０が接着固定される領域に、凹部６０Ｔが形成されている。
【００５９】
いままで図示を省略していたが、撮像基板６０の主面６０ＳＡには、カラーフィルタおよび保護膜からなるコート層６９が配設されている。撮像装置１０Ｃでは、コート層６９をパターニングすることで、光軸Ｏに対して左右対称な凹部６０Ｔが形成される。
【００６０】
撮像装置１０Ｃでは、凹部６０Ｔに未硬化の接着剤２５Ｌが留まり、光軸Ｏに対して左右対称に接着剤２５Ｌが配置される。このため、接着剤２５Ｌの硬化収縮による引張応力がレンズユニット２０に対して左右対称に加わるため、位置ズレを防止できる。なお、凹部６０Ｔを形成する領域には配線等を形成しないため、コート層６９を除去しても特性および信頼性に悪影響を与えることは無い。
【００６１】
＜第２実施形態＞
次に、第２実施形態の撮像装置１０Ｄについて説明する。撮像装置１０Ｄは、第１実施形態の撮像装置１０と類似しているので同じ機能の構成要素には同じ符号を付し説明は省略する。
【００６２】
図１０に示すように、撮像装置１０Ｄは、光学系である光学ユニット５０Ａが、撮像基板６０Ａの受光部６１を覆うように接着剤２６Ａで接着されているカバーガラス（ガラスリッド）３０Ａを有する。撮像装置１０Ｄは、対物光学系であるレンズユニット２０の光軸Ｏが撮像基板６０の主面６０ＳＡに対して垂直な、いわゆる「縦置き型」である。配線板７０Ａは、フライングリード７４を介して、電極パッド６２と接合されている。
【００６３】
製造工程においては、撮像基板６０の主面６０ＳＡを水平に配置した状態でカバーガラス３０Ａの上に透明樹脂４０Ｌが塗布される。
そして、レンズユニット２０の水平方向（ＹＺ方向）および鉛直方向（Ｘ方向）の位置あわせが行われた後に、紫外線照射され、レンズユニット２０がカバーガラス３０Ａに固定される。
【００６４】
撮像装置１０Ｄにおいても、複数のレンズ２１Ａ〜２１Ｄおよびプリズム３０が、その間を充填する透明樹脂２２、４０により相対位置が固定されている。このため、撮像装置１０Ｄは、撮像装置１０と同じ効果を有する。
【００６５】
以上の説明のように、本発明の撮像装置は、複数の光学部材（レンズ２１、プリズム３０、カバーガラス３０Ａ）が相互に透明樹脂（２２、４０）で隔てられて接合されることにより形成された光学系（光学ユニット５０）と、前記光学系から入射される光を受光して光電変換を行うことにより電気信号を生成する受光部６１を有する撮像素子（撮像基板６０）とを具備し、前記光学系は、撮像対象の入射光を集光する対物光学系（レンズユニット２０）と、前記対物光学系からの入射光を前記受光部へ出射する光学素子（プリズム３０、カバーガラス３０Ａ）とからなる。
【００６６】
本発明は上述した実施形態等に限定されるものではなく、本発明の要旨を変えない範囲において、種々の変更、改変等ができる。例えば、第１実施形態の変形例１〜３で説明した構成を第２実施形態の撮像装置１０Ｄに用いてもよい。また、図１に示したように、内視鏡２は、挿入部３の先端部３Ａに、撮像装置１Ａ〜１Ｄを備えていてもよい。
【符号の説明】
【００６７】
１…内視鏡システム
２…内視鏡
１０、１０Ａ〜１０Ｄ…撮像装置
２０…レンズユニット
２１…レンズ
２２…透明樹脂
２５…接着層
２６…接着層
３０…プリズム
３０Ａ…カバーガラス
４０…透明樹脂
５０…光学系（光学ユニット）
６０…撮像基板
６１…受光部
６９…コート層
７０…配線板
【図１】
2016117120.tif 000003
【図２Ａ】
2016117120.tif 000004
【図２Ｂ】
2016117120.tif 000005
【図３】
2016117120.tif 000006
【図４】
2016117120.tif 000007
【図５】
2016117120.tif 000008
【図６】
2016117120.tif 000009
【図７】
2016117120.tif 000010
【図８】
2016117120.tif 000011
【図９】
2016117120.tif 000012
【図１０】
2016117120.tif 000013
【手続補正書】
【提出日】平成28年1月7日(2016.1.7)
【手続補正１】
【補正対象書類名】特許請求の範囲
【補正対象項目名】全文
【補正方法】変更
【補正の内容】
【特許請求の範囲】
【請求項１】
複数の光学部材が、その間を充填する透明樹脂により相対位置が固定されている光学系と、
前記光学系から入射される光を受光する受光部が主面に形成されており、前記光学系が前記主面に接着剤を介して接着されている、撮像基板と、を具備し、
前記光学系が、複数のレンズを含む対物光学系を有し、
前記複数のレンズのレンズ間距離は、スペーサ、絞り、または前記透明樹脂により規定されていることを特徴とする撮像装置。
【請求項２】
前記レンズの直径が、１ｍｍ以下であることを特徴とする請求項１に記載の撮像装置。
【請求項３】
前記レンズの屈折率が、紫外線硬化型の前記透明樹脂の屈折率の１．２倍以上であることを特徴とする請求項２に記載の撮像装置。
【請求項４】
前記複数のレンズの相対位置が、枠体に替えて、前記透明樹脂により固定されていることを特徴とする請求項３に記載の撮像装置。
【請求項５】
前記複数のレンズの間隔が、スペーサにより規定されていることを特徴とする請求項４に記載の撮像装置。
【請求項６】
前記光学系が、前記対物光学系からの入射光を反射して前記受光部へ出射するプリズムを有し、
前記対物光学系の光軸が前記撮像基板の前記主面に対して平行であることを特徴とする請求項２から請求項５のいずれか１項に記載の撮像装置。
【請求項７】
硬化前の前記接着剤が親水性であり、
前記対物光学系は、外周面の前記撮像基板と接着されている領域が親水性で、前記外周面の前記接着されていない領域が疎水性であることを特徴とする請求項６に記載の撮像装置。
【請求項８】
前記対物光学系と前記プリズムとの間を充填している、前記透明樹脂が紫外線硬化型で硬化前は親水性であり、
前記プリズムは、前記透明樹脂と接する面の光学的有効領域の周囲が親水性であることを特徴とする請求項６または請求項７に記載の撮像装置。
【請求項９】
前記撮像基板の前記対物光学系が接着される領域に、前記対物光学系の光軸に対して左右対称な凹部が形成されていることを特徴とする請求項６から請求項８のいずれか１項に記載の撮像装置。
【請求項１０】
前記光学系が、前記受光部を覆うように接着されているカバーガラスを有し、
前記対物光学系の光軸が前記撮像基板の前記主面に対して垂直であることを特徴とする請求項２から請求項５のいずれか１項に記載の撮像装置。
【請求項１１】
請求項１から請求項１０のいずれか１項に記載の撮像装置を挿入部の先端部に備えることを特徴とする内視鏡。
【国際調査報告】
2016117120.tif 000014
2016117120.tif 000015
2016117120.tif 000016
2016117120.tif 000017